(57)【特許請求の範囲】
【請求項１】
所定の商品を販売するかまたは所定のサービスを提供するための所定のウェブページの閲覧が所定のユーザの端末装置から要求された場合、要求された前記ウェブページのデータを前記端末装置に提供する情報提供装置であって、プログラムを実行するコンピュータである情報提供装置において、
前記プログラムを実行するコンピュータによって実現される相当数算出手段が、
前記ユーザが過去に購入した商品またはサービスである購入済み商品／サービスを基礎物品とし、
ユーザからの閲覧要求のある前記ウェブページで販売される前記商品または提供される前記サービスである販売商品／サービスの価格を、前記基礎物品の購入価格で割り算することで、前記販売商品／サービスの価格を前記基礎物品の相当する数で表す基礎物品相当数を算出し、
前記プログラムを実行するコンピュータによって実現される送信手段が、
前記販売商品／サービスの価格が前記基礎物品相当数の前記基礎物品に相当することを表示させる表示データが含まれる前記ウェブページのデータを前記端末装置に送信する
ことを特徴とする情報提供装置。
【請求項２】
請求項１に記載の情報処理装置において、
前記プログラムを実行するコンピュータによってさらに実現される選択手段が、
前記購入済み商品／サービスからいずれかの購入済み商品／サービスを前記基礎物品として選択する
ことを特徴とする情報提供装置。
【請求項３】
請求項２に記載の情報提供装置において、
前記基礎物品の購入価格とは、前記基礎物品の購入時の単価である
ことを特徴とする情報提供装置。
【請求項４】
請求項２又は３に記載の情報提供装置において、
前記選択手段は、前記購入済み商品／サービスのうち、前記ユーザが最後に購入した商品またはサービスを前記基礎物品として選択する
ことを特徴とする情報提供装置。
【請求項５】
請求項４に記載の情報提供装置において、
前記選択手段は、前記ウェブページの閲覧が繰り返された場合、前記購入済み商品／サービスのうち、前記基礎物品として前回選択された商品またはサービスの前に購入された商品またはサービスを前記基礎物品として新たに選択する
ことを特徴とする情報提供装置。
【請求項６】
請求項２又は３に記載の情報提供装置において、
前記選択手段は、前記購入済み商品／サービスのうち、購入された回数の最も多い商品またはサービスを前記基礎物品として選択する
ことを特徴とする情報提供装置。
【請求項７】
請求項６に記載の情報提供装置において、
前記選択手段は、前記ウェブページの閲覧が繰り返された場合、前記購入済み商品／サービスのうち、前記基礎物品として前回選択された商品／サービスの購入回数に対して次に購入された回数の多い商品またはサービスを前記基礎物品として新たに選択する
ことを特徴とする情報提供装置。
【請求項８】
請求項２に記載の情報提供装置において、
前記選択手段は、前記購入済み商品／サービスのうち、購入した個数の最も多い商品を前記基礎物品として選択する
ことを特徴とする情報提供装置。
【請求項９】
請求項８に記載の情報提供装置において、
前記選択手段は、前記ウェブページの閲覧が繰り返された場合、前記購入済み商品／サービスのうち、前記基礎物品として前回選択された商品／サービスの購入された個数に対して次に購入された個数の多い商品を前記基礎物品として新たに選択する
ことを特徴とする情報提供装置。
【請求項１０】
請求項２又は３に記載の情報提供装置において、
前記プログラムを実行するコンピュータによってさらに実現される平均購入価格算出手段が、
前記購入済み商品／サービスの購入価格の単価の平均値である平均購入価格を算出し、
前記プログラムを実行するコンピュータによってさらに実現される判定手段が、
前記販売商品／サービスの価格が前記平均購入価格より高いか否かを判定し、
前記選択手段は、前記判定手段において前記販売商品／サービスの価格が前記平均購入価格より高いと判定された場合、前記販売商品／サービスの価格より高い価格の前記購入済み商品／サービスの中から、最も低い単価の商品またはサービスを前記基礎物品として選択し、前記判定手段において前記販売商品／サービスの価格が前記平均購入価格と同じ又はそれより低いと判定された場合、前記販売商品／サービスの価格より低い単価の前記購入済み商品／サービスの中から、最も高い単価の商品またはサービスを前記基礎物品として選択する
ことを特徴とする情報提供装置。
【請求項１１】
請求項２又は３に記載の情報提供装置において、
前記プログラムを実行するコンピュータによってさらに実現される平均購入価格算出手段が、
前記購入済み商品／サービスの単価の平均値である平均購入価格を算出し、
前記プログラムを実行するコンピュータによってさらに実現される判定手段が、
前記販売商品／サービスの価格が前記平均購入価格より高いか否かを判定し、
前記選択手段は、前記判定手段において前記販売商品／サービスの価格が前記平均購入価格より高いと判定された場合、前記販売商品／サービスの価格より高い単価の前記購入済み商品／サービスの中から、最も高い単価の商品を前記基礎物品として選択し、前記判定手段において前記販売商品／サービスの価格が前記平均購入価格と同じ又は低いと判定された場合、前記販売商品／サービスの価格より低い単価の前記購入済み商品／サービスの中から、最も低い単価の商品を前記基礎物品として選択する
ことを特徴とする情報提供装置。
【請求項１２】
請求項２〜１１の何れか一項に記載の情報提供装置において、
前記選択手段は、前記基礎物品として、前記ユーザが予め決められた期間に購入した購入済み商品／サービスの中のいずれかを選択する
ことを特徴とする情報提供装置。
【請求項１３】
所定の商品を販売するかまたは所定のサービスを提供するための所定のウェブページの閲覧が所定のユーザの端末装置から要求された場合、要求された前記ウェブページのデータを前記端末装置に提供する情報提供方法であって、プログラムを実行するコンピュータによる情報提供方法において、
前記プログラムを実行するコンピュータによって実現される相当数算出手段によって、
前記ユーザが過去に購入した商品またはサービスである購入済み商品／サービスを基礎物品とし、
ユーザからの閲覧要求のある前記ウェブページで販売される前記商品または提供される前記サービスである販売商品／サービスの価格を、前記基礎物品の購入価格で割り算することで、前記販売商品／サービスの価格を前記基礎物品の相当する数で表す基礎物品相当数を算出し、
前記プログラムを実行するコンピュータによって実現される送信手段によって、
前記販売商品／サービスの価格が前記基礎物品相当数の前記基礎物品に相当することを表示させる表示データが含まれる前記ウェブページのデータを前記端末装置に送信する
ステップを含む情報提供方法。
【請求項１４】
所定の商品を販売するかまたは所定のサービスを提供するための所定のウェブページの閲覧が所定のユーザの端末装置から要求された場合、要求された前記ウェブページのデータを前記端末装置に提供するコンピュータに実行されることで、
前記ユーザが過去に購入した商品またはサービスである購入済み商品／サービスを基礎物品とし、
ユーザからの閲覧要求のある前記ウェブページで販売される前記商品または提供される前記サービスである販売商品／サービスの価格を、前記基礎物品の購入価格で割り算することで、前記販売商品／サービスの価格を前記基礎物品の相当する数で表す基礎物品相当数を算出する相当数算出手段と、
前記販売商品／サービスの価格が前記基礎物品相当数の前記基礎物品に相当することを表示させる表示データが含まれる前記ウェブページのデータを前記端末装置に送信する送信手段と
を実現させるためのプログラム。
【請求項１５】
所定の商品を販売するかまたは所定のサービスを提供するための所定のウェブページの閲覧を所定のユーザによって要求された場合、要求された前記ウェブページのデータが情報提供装置から提供される情報表示装置であって、プログラムを実行するコンピュータで制御される情報表示装置において、
前記プログラムを実行するコンピュータによって実現される相当数算出手段が、
前記ユーザが過去に購入した商品またはサービスである購入済み商品／サービスを基礎物品とし、
ユーザからの閲覧要求のある前記ウェブページで販売される前記商品または提供される前記サービスである販売商品／サービスの価格を、前記基礎物品の購入価格で割り算することで、前記販売商品／サービスの価格を前記基礎物品の相当する数で表す基礎物品相当数を算出し、
前記プログラムを実行するコンピュータによって実現される表示制御手段が、
前記販売商品／サービスの価格が前記基礎物品相当数の前記基礎物品に相当することを表示させる表示データを、前記ウェブページ上に表示させる
ことを特徴とする情報表示装置。
【請求項１６】
請求項１５に記載の情報表示装置において、
前記基礎物品の購入価格とは、前記基礎物品の購入時の単価である
ことを特徴とする情報表示装置。
【発明の詳細な説明】
【技術分野】
【０００１】
本発明は情報提供装置および方法、プログラム、並びに情報表示装置に関し、特に、ウェブページを提供する情報提供装置および方法、プログラム、並びに情報表示装置に関する。
【背景技術】
【０００２】
近年、多種多様の商品がウェブページにおいて販売されている。また、比較的高価な商品もウェブページにおいて販売されるようになってきた。
【０００３】
従来、通常の通貨単位を有する基準電子マネーの通貨単位を独自の通貨単位に変更するための換算率である通貨レートを設定する通貨レート・通貨単位設定手段と、前記通貨レートと独自の通貨単位を有するオリジナル電子マネーを発行する電子マネー発行部と、当該オリジナル電子マネーを識別するための識別情報を含む電子マネー情報とを備え、任意に設定可能な通貨レートと独自の通貨単位を有するオリジナル電子マネーを発行してウェブサイト上における商取引を行うオリジナル電子マネーシステムが提案されている（例えば、特許文献１参照）。
【先行技術文献】
【特許文献】
【０００４】
【特許文献１】特開２００３−７６８５１号公報
【発明の概要】
【発明が解決しようとする課題】
【０００５】
しかしながら、通貨単位を変更することはできたが、商品を販売しているEC（electronic commerce）サイトを訪れて商品の購入を迷っている顧客に対して価値判断の尺度を変えてアプローチすることはできなかった。
【０００６】
本発明は、このような状況に鑑みてなされたものであり、閲覧する商品またはサービスの価格の計算単位を購入した商品またはサービスを基準に表示させることにより、ユーザに閲覧する商品またはサービスの価値を実感させやすくするものである。
【課題を解決するための手段】
【０００７】
本発明の第１の側面の情報提供装置は、所定の商品を販売するかまたは所定のサービスを提供するための所定のウェブページの閲覧が所定のユーザの端末装置から要求された場合、要求された前記ウェブページのデータを前記端末装置に提供する情報提供装置であって、プログラムを実行するコンピュータである情報提供装置であり、前記プログラムを実行するコンピュータによって実現される相当数算出手段が、前記ユーザが過去に購入した商品またはサービスである購入済み商品／サービスを基礎物品とし、ユーザからの閲覧要求のある前記ウェブページで販売される前記商品または提供される前記サービスである販売商品／サービスの価格を、前記基礎物品の購入価格で割り算することで、前記販売商品／サービスの価格を前記基礎物品の相当する数で表す基礎物品相当数を算出し、前記プログラムを実行するコンピュータによって実現される送信手段が、前記販売商品／サービスの価格が前記基礎物品相当数の前記基礎物品に相当することを表示させる表示データが含まれる前記ウェブページのデータを前記端末装置に送信することを特徴とする。
前記プログラムを実行するコンピュータによってさらに実現される選択手段が、前記購入済み商品／サービスからいずれかの購入済み商品／サービスを前記基礎物品として選択するようにすることができる。
【０００８】
前記基礎物品の購入価格は、前記基礎物品の購入時の単価であってもよい。
【０００９】
前記選択手段には、前記購入済み商品／サービスのうち、前記ユーザが最後に購入した商品またはサービスを前記基礎物品として選択させることができる。
【００１０】
前記選択手段には、前記ウェブページの閲覧が繰り返された場合、前記購入済み商品／サービスのうち、前記基礎物品として前回選択された商品またはサービスの前に購入された商品またはサービスを前記基礎物品として新たに選択させることができる。
【００１１】
前記選択手段には、前記購入済み商品／サービスのうち、購入された回数の最も多い商品またはサービスを前記基礎物品として選択させることができる。
【００１２】
前記選択手段には、前記ウェブページの閲覧が繰り返された場合、前記購入済み商品／サービスのうち、前記基礎物品として前回選択された商品／サービスの購入回数に対して次に購入された回数の多い商品またはサービスを前記基礎物品として新たに選択させることができる。
【００１３】
前記選択手段には、前記購入済み商品／サービスのうち、購入した個数の最も多い商品を前記基礎物品として選択させることができる。
【００１４】
前記選択手段には、前記ウェブページの閲覧が繰り返された場合、前記購入済み商品／サービスのうち、前記基礎物品として前回選択された商品／サービスの購入された個数に対して次に購入された個数の多い商品を前記基礎物品として新たに選択させることができる。
【００１７】
前記プログラムを実行するコンピュータによってさらに実現される平均購入価格算出手段が、前記購入済み商品／サービスの購入価格の単価の平均値である平均購入価格を算出し、前記プログラムを実行するコンピュータによってさらに実現される判定手段が、前記販売商品／サービスの価格が前記平均購入価格より高いか否かを判定し、前記選択手段は、前記判定手段において前記販売商品／サービスの価格が前記平均購入価格より高いと判定された場合、前記販売商品／サービスの価格より高い価格の前記購入済み商品／サービスの中から、最も低い単価の商品またはサービスを前記基礎物品として選択し、前記判定手段において前記販売商品／サービスの価格が前記平均購入価格と同じ又はそれより低いと判定された場合、前記販売商品／サービスの価格より低い単価の前記購入済み商品／サービスの中から、最も高い単価の商品またはサービスを前記基礎物品として選択するようにすることができる。
【００２０】
前記プログラムを実行するコンピュータによってさらに実現される平均購入価格算出手段が、前記購入済み商品／サービスの単価の平均値である平均購入価格を算出し、前記プログラムを実行するコンピュータによってさらに実現される判定手段が、前記販売商品／サービスの価格が前記平均購入価格より高いか否かを判定し、前記選択手段は、前記判定手段において前記販売商品／サービスの価格が前記平均購入価格より高いと判定された場合、前記販売商品／サービスの価格より高い単価の前記購入済み商品／サービスの中から、最も高い単価の商品を前記基礎物品として選択し、前記判定手段において前記販売商品／サービスの価格が前記平均購入価格と同じ又は低いと判定された場合、前記販売商品／サービスの価格より低い単価の前記購入済み商品／サービスの中から、最も低い単価の商品を前記基礎物品として選択するようにすることができる。
【００２１】
前記選択手段は、前記基礎物品として、前記ユーザが予め決められた期間に購入した購入済み商品／サービスの中のいずれかを選択する。
【００２２】
本発明の第１の側面の情報提供方法は、所定の商品を販売するかまたは所定のサービスを提供するための所定のウェブページの閲覧が所定のユーザの端末装置から要求された場合、要求された前記ウェブページのデータを前記端末装置に提供する情報提供方法であって、プログラムを実行するコンピュータによる情報提供方法であり、前記プログラムを実行するコンピュータによって実現される相当数算出手段によって、前記ユーザが過去に購入した商品またはサービスである購入済み商品／サービスを基礎物品とし、ユーザからの閲覧要求のある前記ウェブページで販売される前記商品または提供される前記サービスである販売商品／サービスの価格を、前記基礎物品の購入価格で割り算することで、前記販売商品／サービスの価格を前記基礎物品の相当する数で表す基礎物品相当数を算出し、前記プログラムを実行するコンピュータによって実現される送信手段によって、前記販売商品／サービスの価格が前記基礎物品相当数の前記基礎物品に相当することを表示させる表示データが含まれる前記ウェブページのデータを前記端末装置に送信するステップを含む。
【００２３】
本発明の第１の側面のプログラムは、所定の商品を販売するかまたは所定のサービスを提供するための所定のウェブページの閲覧が所定のユーザの端末装置から要求された場合、要求された前記ウェブページのデータを前記端末装置に提供するコンピュータに実行されることで、前記ユーザが過去に購入した商品またはサービスである購入済み商品／サービスを基礎物品とし、ユーザからの閲覧要求のある前記ウェブページで販売される前記商品または提供される前記サービスである販売商品／サービスの価格を、前記基礎物品の購入価格で割り算することで、前記販売商品／サービスの価格を前記基礎物品の相当する数で表す基礎物品相当数を算出する相当数算出手段と、前記販売商品／サービスの価格が前記基礎物品相当数の前記基礎物品に相当することを表示させる表示データが含まれる前記ウェブページのデータを前記端末装置に送信する送信手段とを実現させる。
【００２４】
本発明の第１の側面の情報表示装置は、所定の商品を販売するかまたは所定のサービスを提供するための所定のウェブページの閲覧を所定のユーザによって要求された場合、要求された前記ウェブページのデータが情報提供装置から提供される情報表示装置であって、プログラムを実行するコンピュータで制御される情報表示装置であり、前記プログラムを実行するコンピュータによって実現される相当数算出手段が、前記ユーザが過去に購入した商品またはサービスである購入済み商品／サービスを基礎物品とし、ユーザからの閲覧要求のある前記ウェブページで販売される前記商品または提供される前記サービスである販売商品／サービスの価格を、前記基礎物品の購入価格で割り算することで、前記販売商品／サービスの価格を前記基礎物品の相当する数で表す基礎物品相当数を算出し、前記プログラムを実行するコンピュータによって実現される表示制御手段が、前記販売商品／サービスの価格が前記基礎物品相当数の前記基礎物品に相当することを表示させる表示データを、前記ウェブページ上に表示させることを特徴とする。
【００２５】
前記基礎物品の購入価格は、前記基礎物品の購入時の単価であってもよい。
【００２６】
本発明の第１の側面においては、プログラムを実行するコンピュータによって実現される相当数算出手段によって、ユーザが過去に購入した商品またはサービスである購入済み商品／サービスが基礎物品とされ、ユーザからの閲覧要求のあるウェブページで販売される商品または提供されるサービスである販売商品／サービスの価格を、基礎物品の購入価格で割り算することで、販売商品／サービスの価格を基礎物品の相当する数で表す基礎物品相当数が算出され、プログラムを実行するコンピュータによって実現される送信手段によって、販売商品／サービスの価格が基礎物品相当数の基礎物品に相当することを表示させる表示データが含まれるウェブページのデータが端末装置に送信される。
【発明の効果】
【００２７】
以上のように、本発明の一側面によれば、本発明の一側面によれば、閲覧した商品の価格の計算単位を変化させて表示することができる。
【００２８】
また、本発明の第１の側面によれば、閲覧する商品またはサービスの価格の計算単位を購入した商品またはサービスを基準に表示させることにより、ユーザに閲覧する商品またはサービスの価値を実感させやすくすることができる。
【図面の簡単な説明】
【００２９】
【図１】本発明の一実施の形態の情報提供システムの構成を示す図である。
【図２】サーバ１１のハードウェアの構成例を示すブロック図である。
【図３】サーバ１１において実現される機能の構成の例を示すブロック図である。
【図４】ウェブページの提供の処理の例を説明するフローチャートである。
【図５】ウェブページの例を示す図である。
【図６】ウェブページの提供の処理の他の例を説明するフローチャートである。
【図７】ウェブページの提供の処理のさらに他の例を説明するフローチャートである。
【発明を実施するための形態】
【００３０】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３１】
本発明の第１の側面の情報提供装置は、所定の商品を販売するかまたは所定のサービスを提供するための所定のウェブページの閲覧が所定のユーザの端末装置（例えば、図１のユーザ端末装置１３−１）から要求された場合、要求された前記ウェブページのデータを前記端末装置に提供する情報提供装置であって、プログラムを実行するコンピュータである情報提供装置（例えば、図１のサーバ１１）であり、前記プログラムを実行するコンピュータによって実現される相当数算出手段（例えば、図３の基礎物品相当数計算部８４）が、前記ユーザが過去に購入した商品またはサービスである購入済み商品／サービスを基礎物品とし、ユーザからの閲覧要求のある前記ウェブページで販売される前記商品または提供される前記サービスである販売商品／サービスの価格を、前記基礎物品の購入価格で割り算することで、前記販売商品／サービスの価格を前記基礎物品の相当する数で表す基礎物品相当数を算出し、前記プログラムを実行するコンピュータによって実現される送信手段（例えば、図３のWebサーバ機能６１）が、前記販売商品／サービスの価格が前記基礎物品相当数の前記基礎物品に相当することを表示させる表示データが含まれる前記ウェブページのデータを前記端末装置に送信することを特徴とする。ここで、販売商品／サービスの価格とは、販売商品／サービスの単価であって、基礎物品の購入価格とは、基礎物品の購入時の単価であってもよい。
【００３４】
前記プログラムを実行するコンピュータによってさらに実現される平均購入価格算出手段（例えば、図３の平均購入価格計算部８２）が、前記購入済み商品／サービスの単価の平均値である平均購入価格を算出し、前記プログラムを実行するコンピュータによってさらに実現される判定手段（例えば、図３の判定部８１）が、前記販売商品／サービスの価格が前記平均購入価格より高いか否かを判定し、前記選択手段は、前記判定手段において前記販売商品／サービスの価格が前記平均購入価格より高いと判定された場合、前記販売商品／サービスの価格より高い単価の前記購入済み商品／サービスの中から、最も高い単価の商品を前記基礎物品として選択し、前記判定手段において前記販売商品／サービスの価格が前記平均購入価格と同じ又は低いと判定された場合、前記販売商品／サービスの価格より低い単価の前記購入済み商品／サービスの中から、最も低い単価の商品を前記基礎物品として選択するようにすることができる。
【００３５】
本発明の第１の側面の情報提供方法は、所定の商品を販売するかまたは所定のサービスを提供するための所定のウェブページの閲覧が所定のユーザの端末装置（例えば、図１のユーザ端末装置１３−１）から要求された場合、要求された前記ウェブページのデータを前記端末装置に提供する情報提供方法であって、プログラムを実行するコンピュータによる情報提供方法であり、前記プログラムを実行するコンピュータによって実現される相当数算出手段によって、前記ユーザが過去に購入した商品またはサービスである購入済み商品／サービスを基礎物品とし（例えば、図４のステップＳ１４の手続き）、ユーザからの閲覧要求のある前記ウェブページで販売される前記商品または提供される前記サービスである販売商品／サービスの価格を、前記基礎物品の購入価格で割り算することで、前記販売商品／サービスの価格を前記基礎物品の相当する数で表す基礎物品相当数を算出し（例えば、図４のステップＳ１５の手続き）、前記プログラムを実行するコンピュータによって実現される送信手段によって、前記販売商品／サービスの価格が前記基礎物品相当数の前記基礎物品に相当することを表示させる表示データが含まれる前記ウェブページのデータを前記端末装置に送信する（例えば、図４のステップＳ２０の手続き）ステップを含む。
【００３６】
本発明の第１の側面のプログラムは、所定の商品を販売するかまたは所定のサービスを提供するための所定のウェブページの閲覧が所定のユーザの端末装置（例えば、図１のユーザ端末装置１３−１）から要求された場合、要求された前記ウェブページのデータを前記端末装置に提供するコンピュータに実行されることで、前記ユーザが過去に購入した商品またはサービスである購入済み商品／サービスを基礎物品とし、ユーザからの閲覧要求のある前記ウェブページで販売される前記商品または提供される前記サービスである販売商品／サービスの価格を、前記基礎物品の購入価格で割り算することで、前記販売商品／サービスの価格を前記基礎物品の相当する数で表す基礎物品相当数を算出する相当数算出手段（例えば、図３の基礎物品相当数計算部８４）と、前記販売商品／サービスの価格が前記基礎物品相当数の前記基礎物品に相当することを表示させる表示データが含まれる前記ウェブページのデータを前記端末装置に送信する送信手段（例えば、図３のWebサーバ機能６１）とを実現させる。
【００３７】
図１は、本発明の一実施の形態の情報提供システムの構成を示す図である。情報提供システムは、サーバ１１、インターネット１２、およびユーザ端末装置１３−１乃至１３−３からなる。サーバ１１は、情報提供装置の一例であり、専用サーバ、パーソナルコンピュータ、または仮想サーバなどからなる。サーバ１１は、専用サーバ、パーソナルコンピュータ、または仮想サーバなどの組み合わせからなるシステムであっても良い。
【００３８】
サーバ１１は、インターネット１２を介して、ユーザ端末装置１３−１乃至１３−３のそれぞれに、商品を販売するかまたはサービスを提供するためのウェブページのデータを提供する。言い換えれば、サーバ１１は、インターネット１２を介して、ユーザ端末装置１３−１乃至１３−３のそれぞれに、商品の販売またはサービスの提供に関する情報をユーザに提示するためのウェブページのデータを提供する。また、サーバ１１は、インターネット１２を介して、ユーザ端末装置１３−１乃至１３−３のそれぞれからの、商品またはサービスの購入の申し込みを受け付ける。
【００３９】
さらに、サーバ１１がデータを提供するウェブページにおいて、販売しようとする商品の価格が、他の物品の相当する数で表される。
【００４０】
ここで、ウェブページにおいて販売しようとする商品や提供しようとするサービスの価格を、相当する数で表す基準となる物品を基礎物品と称する。基礎物品には、コーヒーやハンバーガーなど、日常的に繰り返し購入される物品または身近な物品が採用される。なお、相当する数で表す基準には、コーヒーの提供やタクシーの運賃など、日常的に受けるサービスを基礎役務（基礎物品等に含まれる）として用いるようにしてもよい。
【００４１】
さらに、販売しようとする商品の価格を表す基礎物品の数を基礎物品相当数と称する。
【００４２】
以下、基礎物品として商品が選択される場合を例に説明する。
【００４３】
すなわち、サーバ１１は、インターネット１２を介して、ユーザ端末装置１３−１乃至１３−３のそれぞれに、販売しようとする商品の価格が、基礎物品の基礎物品相当数で表されるウェブページのデータを提供する。
【００４４】
インターネット１２は、ネットワークの一例であり、有線または無線の汎用回線または専用回線や、有線または無線の複数のネットワーク、例えば、LAN（Local Area Network）またはWAN（Wide Area Network）などからなる。
【００４５】
ユーザ端末装置１３−１乃至１３−３は、それぞれ、ユーザの操作に応じて、インターネット１２を介してサーバ１１からウェブページのデータを取得して、ウェブページをそれぞれのユーザに提示する。
【００４６】
以下、ユーザ端末装置１３−１乃至１３−３を個々に区別する必要がない場合、単に、ユーザ端末装置１３と称する。
【００４７】
図２は、サーバ１１のハードウェアの構成例を示すブロック図である。
【００４８】
サーバ１１において、CPU（Central Processing Unit）３１，ROM（Read Only Memory）３２，RAM（Random Access Memory）３３は、バス３４により相互に接続されている。
【００４９】
バス３４には、さらに、入出力インタフェース３５が接続されている。入出力インタフェース３５には、キーボード、マウス、マイクロホンなどよりなる入力部３６、ディスプレイ、スピーカなどよりなる出力部３７、ハードディスクや不揮発性のメモリなどよりなる記憶部３８、ネットワークインタフェースなどよりなる通信部３９、磁気ディスク、光ディスク、光磁気ディスク、或いは半導体メモリなどのリムーバブルメディア４１を駆動するドライブ４０が接続されている。
【００５０】
以上のように構成されるサーバ１１（コンピュータ）では、CPU３１が、例えば、記憶部３８に記憶されているプログラムを、入出力インタフェース３５及びバス３４を介して、RAM３３にロードして実行することにより、後述する一連の処理が行われる。
【００５１】
サーバ１１（CPU３１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア４１に記録して、あるいは、ローカルエリアネットワーク、インターネット１２、デジタル衛星放送といった、有線または無線の伝送媒体を介して提供される。
【００５２】
そして、プログラムは、リムーバブルメディア４１をドライブ４０に装着することにより、入出力インタフェース３５を介して、記憶部３８に記憶することで、コンピュータにインストールすることができる。また、プログラムは、有線または無線の伝送媒体を介して、通信部３９で受信し、記憶部３８に記憶することで、コンピュータにインストールすることができる。その他、プログラムは、ROM３２や記憶部３８にあらかじめ記憶しておくことで、コンピュータにあらかじめインストールしておくことができる。
【００５３】
図３は、プログラムを実行するサーバ１１において実現される機能の構成の例を示すブロック図である。すなわち、サーバ１１がプログラムを実行すると、Webサーバ機能６１、ページデータ生成部６２、認証部６３、相当数表示制御部６４、ユーザデータベース６５、商品データベース６６、閲覧履歴データベース６７、および購入履歴データベース６８が実現される。
【００５４】
Webサーバ機能６１は、例えば、Apache HTTP Serverなどの、いわゆるWebサーバプログラムを実行することにより実現され、HTTP（Hypertext Transfer Protocol）に規定される手順に基づいて、テキストまたは画像などの各種のオブジェクトが含まれるHTML（Hypertext Markup Language）方式またはXML（Extensible Markup Language）方式などのウェブページのデータを提供する。
【００５５】
ページデータ生成部６２は、Webサーバ機能６１によって提供される、ウェブページのデータを生成する。
【００５６】
認証部６３は、ユーザのユーザIDおよびパスワードを照合して、ユーザが正当であるか否かを認証する。
【００５７】
相当数表示制御部６４は、商品の価格と基礎物品の価格とから基礎物品相当数を算出し、商品の価格が基礎物品相当数の基礎物品に相当することを表示させる表示データを生成して、ページデータ生成部６２に供給する。ページデータ生成部６２は、この表示データが相当数表示制御部６４から供給された場合、ウェブページのデータに表示データを含める。
【００５８】
より詳しく説明すると、相当数表示制御部６４は、ユーザがこれまでに購入した商品のいずれかを基礎物品として選択し、閲覧が要求されたウェブページで販売される商品の価格を、基礎物品の購入価格で割り算することで、ウェブページで販売される商品の価格を基礎物品の相当する数で表す基礎物品相当数を算出する。
【００５９】
相当数表示制御部６４には、判定部８１、平均購入価格計算部８２、基礎物品選択部８３、基礎物品相当数計算部８４、表示データ生成部８５、および選択履歴記録部８６が含まれる。
【００６０】
判定部８１は、予め決められた所定の期間内にユーザがいずれかの商品を購入したか否かを判定する。平均購入価格計算部８２は、ユーザがこれまでに（例えば、上記所定の期間内に）購入した商品の価格の平均値である平均購入価格を計算する。基礎物品選択部８３は、ユーザがこれまでに購入した商品の中から、所定の条件により基礎物品を選択する。基礎物品を選択する条件の例は後述する。
【００６１】
基礎物品相当数計算部８４は、閲覧が要求されたウェブページで販売される商品の価格（例えば、商品の単価）を基礎物品の価格（例えば、基礎物品の単価）で割り算することで、ウェブページで販売される商品の価格を基礎物品の相当する数で表す基礎物品相当数を算出する。表示データ生成部８５は、ウェブページで販売される商品の価格が基礎物品相当数の基礎物品に相当することを表示させる表示データを生成する。
【００６２】
選択履歴記録部８６は、ユーザがこれまでに購入した商品が基礎物品として選択されると、基礎物品として選択されたことを示す選択履歴を購入履歴データベース６８に記録させる。
【００６３】
ユーザデータベース６５は、それぞれのユーザに関するデータを格納する。すなわち、ユーザデータベース６５は、ユーザの、氏名、住所、電話番号、電子メールアドレス、それぞれのユーザを特定するユーザID、およびログインするためのパスワードなどをユーザ毎に記録する。
【００６４】
商品データベース６６は、それぞれの商品に関するデータを格納する。より詳しく説明すれば、商品データベース６６は、商品毎に、商品を特定する商品IDに対応させて、商品の名前、商品の画像、商品を製造するメーカ名、および商品の価格などを格納する。
【００６５】
閲覧履歴データベース６７は、ユーザ毎に、ウェブページが閲覧された履歴を格納する。より詳細には、閲覧履歴データベース６７は、ユーザ毎に、ウェブページを閲覧したユーザを特定するユーザIDに対応付けて、閲覧したウェブページを特定するページID、ウェブページを閲覧した日時、ウェブページが閲覧された回数、ウェブページに掲載されている商品を特定する商品ID、商品IDで特定される商品の名前、商品IDで特定される商品の画像、商品IDで特定される商品の価格などを格納する。
【００６６】
購入履歴データベース６８は、ユーザ毎に、ユーザが購入した商品の履歴を格納する。すなわち、購入履歴データベース６８は、ユーザIDに対応付けて、購入された商品を特定する商品ID、商品の名前、商品の画像、購入した日付、購入した価格、購入した個数、購入した店舗を特定する店舗ID、掲載されているウェブページを特定するページID、商品IDで特定される商品が基礎物品として選択されたか否かを示す選択履歴などを格納する。
【００６７】
なお、ユーザデータベース６５、商品データベース６６、閲覧履歴データベース６７、および購入履歴データベース６８は、それぞれ、オペーレーティングシステムによって提供されるファイルシステム上に直接構築されるものであっても、データベース管理システムを用いて構築されるものであってもよい。また、ユーザデータベース６５、商品データベース６６、閲覧履歴データベース６７、および購入履歴データベース６８のうち、いずれかを組み合わせて、１つのデータベースとするようにしてもよい。
【００６８】
次に、認証部６３によって正当なユーザであると認証されて、ログインしているユーザに対して、商品を販売するウェブページを提供するサーバ１１の処理について説明する。
【００６９】
図４は、ウェブページの提供の処理の例を説明するフローチャートである。ステップＳ１１において、Webサーバ機能６１は、ネットワークインタフェースである通信部３９を制御して、ユーザのユーザ端末装置１３からの所定の商品を販売するウェブページのリクエストを受信し、そのリクエストを受け付ける。Webサーバ機能６１は、相当数表示制御部６４に商品を販売するウェブページがリクエストされた旨を通知する。
【００７０】
ステップＳ１２において、相当数表示制御部６４の判定部８１は、購入履歴データベース６８から、リクエストを送信してきたユーザ端末装置１３のユーザを特定するユーザIDをキーにして、商品を購入した日付を読み出して、1月または1週間など所定の期間内にユーザがいずれかの商品を購入したか否かを判定する。相当数表示制御部６４の判定部８１は、さらに、商品データベース６６から、リクエストされたウェブページで販売される商品である販売商品の名前、画像、当該商品を製造するメーカ名、および価格を読み出す。
【００７１】
ステップＳ１２において、所定の期間内にユーザがいずれかの商品を購入したと判定された場合、手続きはステップＳ１３に進み、基礎物品選択部８３は、ユーザIDをキーにして、ユーザがこれまでに購入した商品のそれぞれについて、商品の名前、画像、価格、購入の日付、および個数、並びに商品が基礎物品として選択されたか否かを示す選択履歴を購入履歴データベース６８から読み出す。
【００７２】
ステップＳ１４において、基礎物品選択部８３は、ユーザがこれまでに購入した商品のうち、まだ基礎物品として選択されていない商品の中から、所定の条件により基礎物品を選択する。例えば、基礎物品選択部８３は、ユーザがこれまでに購入した商品のうち、ユーザが最後に購入した商品（当日の日付に最も近い日に購入した商品）を基礎物品として選択する。また、例えば、基礎物品選択部８３は、ユーザがこれまでに購入した商品のうち、購入された回数の最も多い商品を基礎物品として選択する。さらに、例えば、基礎物品選択部８３は、ユーザがこれまでに購入した商品のうち、購入した個数の最も多い商品を基礎物品等として選択する。
【００７３】
ステップＳ１５において、基礎物品相当数計算部８４は、リクエストされたウェブページにおいて販売される商品の価格を基礎物品の価格で割り算して、その商（小数点以下を含む）を基礎物品相当数とする。
【００７４】
なお、リクエストされたウェブページに複数の商品が掲載される場合には、複数の商品のそれぞれについて、処理が実行される。図６以下のフローチャートを参照して説明する処理においても同様である。
【００７５】
ステップＳ１６において、表示データ生成部８５は、リクエストされたウェブページにおいて販売される商品について表示するためのデータとともに、リクエストされたウェブページにおいて販売される商品の価格が、基礎物品相当数の基礎物品に相当することを表示するためのデータを生成する。表示データ生成部８５は、判定部８１より、リクエストされたウェブページにおいて販売される商品について表示するためのデータを取得する。表示データ生成部８５は、生成したデータをページデータ生成部６２に供給する。ページデータ生成部６２は、本来のウェブページのデータに、相当数表示制御部６４の表示データ生成部８５から供給されたデータを含める。ページデータ生成部６２は、商品の価格が、基礎物品相当数の基礎物品に相当することを表示するためのデータを含む、ウェブページのデータをWebサーバ機能６１に供給する。
【００７６】
ステップＳ１７において、選択履歴記録部８６は、基礎物品として選択された商品について選択されたことを示す選択履歴を購入履歴データベース６８に記録させる。ステップＳ１８において、判定部８１は、ユーザIDに対応付けられている選択履歴を購入履歴データベース６８から読み出して、ユーザがこれまでに購入した商品の全部が基礎物品に選択されたか否かを判定する。
【００７７】
ステップＳ１８において、ユーザがこれまでに購入した商品の全部が基礎物品に選択されたと判定された場合、選択履歴をリセットする必要があるので、手続きはステップＳ１９に進み、選択履歴記録部８６は、ユーザがこれまでに購入した商品の全部について選択されていないことを示す選択履歴を購入履歴データベース６８に記録させ、手続きはステップＳ２０に進む。
【００７８】
ステップＳ１８において、ユーザがこれまでに購入した商品の全部が基礎物品に選択されていないと判定された場合、選択履歴をリセットする必要はないので、ステップＳ１９の手続きはスキップされて、手続きはステップＳ２０に進む。
【００７９】
一方、ステップＳ１２において、所定の期間内にユーザがいずれかの商品を購入していないと判定された場合、ステップＳ１３乃至ステップＳ１９の手続きはスキップされて、手続きはステップＳ２０に進む。
【００８０】
ステップＳ２０において、Webサーバ機能６１は、ネットワークインタフェースである通信部３９を制御して、リクエストされたウェブページのデータを、インターネット１２を介して、リクエストしてきたユーザのユーザ端末装置１３宛てに送信して、ウェブページの提供の処理は終了する。
【００８１】
このように、所定の期間内にユーザがいずれかの商品を購入した場合には、商品の価格が基礎物品相当数の基礎物品に相当することを表示するためのデータを含む、ウェブページのデータがユーザのユーザ端末装置１３に提供されることになる。
【００８２】
例えば、図５に示されるように、商品価格（商品単価）が100,000円であるテレビジョン受像器が掲載されているウェブページがユーザに閲覧された場合、そのユーザが最近単価50,000円のバックを購入していたとき、そのウェブページには、テレビジョン受像器の100,000円である商品価格と共に、バックである基礎物品名、および２つである基礎物品相当数、並びに２つの基礎物品の画像（図５中のバックの画像）が表示されることになる。
【００８３】
このように、閲覧した商品の価格の計算単位を変化させて表示することができる。また、閲覧する商品の価格の計算単位を購入した商品を基準に表示させることにより、ユーザに閲覧する商品の価値を実感させやすくすることができる。
【００８４】
また、基礎物品選択部８３は、ユーザが最後に購入した商品を基礎物品として選択した場合に、同じウェブページの閲覧が繰り返された場合、ユーザが購入した購入済み商品等のうち、基礎物品等として前回選択された商品またはサービス（上記実施形態によれば、バッグ）の前に購入された商品またはサービスを基礎物品等として新たに選択する。
【００８５】
また、さらに同じウェブページの閲覧が繰り返された場合には、基礎物品選択部８３は、直前よりもさらに時間を遡った（前に戻った）タイミングで購入した物品等を基礎物品等として選択する。
【００８６】
ユーザが最近購入した商品等を基礎物品等とすることで、ユーザにとって記憶の新しい購入品が閲覧商品の価値判断の基準とされる。そのため、ユーザにとっては、閲覧商品の価値を身近に感じることが可能となる。
【００８７】
また、このように、価値判断の基準となる基礎物品等を変えることで、様々な尺度で閲覧した商品の価値を判断することが可能となる。また、基礎物品等を、購入のタイミングが古いものに変化させていくことにより、購入した際の自身の判断過程を時系列で追っていくことができ、閲覧した商品の価値判断が容易になる。
【００８８】
また、基礎物品選択部８３は、ユーザがこれまでに購入した商品のうち購入された回数の最も多い商品を基礎物品として選択した場合に、ウェブページの閲覧が繰り返された場合、ユーザが購入した購入済み商品等のうち、基礎物品等として前回選択された商品またはサービス（上記実施形態によれば、バッグ）の次に、購入された回数の多い商品またはサービスを基礎物品等として新たに選択する。
【００８９】
また、さらに同じウェブページの閲覧が繰り返された場合には、基礎物品選択部８３は、直前よりもさらに購入回数の少ない物品等を基礎物品等として選択する。
【００９０】
ユーザが最も多く購入した商品等を基礎物品等とすることで、ユーザにとって頻繁に購入している商品等が閲覧商品の価値判断の基準とされる。そのため、ユーザにとっては、閲覧商品の価値を身近に感じることが可能となる。
【００９１】
また、このように、価値判断の基準となる基礎物品等を変えることで、様々な尺度で閲覧した商品の価値を判断することが可能となる。また、基礎物品等を、購入のタイミングが古いものに変化させていくことにより、購入した際の自身の判断過程を時系列で追っていくことができ、閲覧した商品の価値判断が容易になる。
【００９２】
また、基礎物品選択部８３は、ユーザがこれまでに購入した商品のうち購入した個数の最も多い商品を基礎物品として選択した場合に、ウェブページの閲覧が繰り返された場合、ユーザが購入した購入済み商品等のうち、基礎物品等として前回選択された商品またはサービス（上記実施形態によれば、バッグ）の次に、購入された個数の多い商品またはサービスを基礎物品等として新たに選択する。
【００９３】
また、さらに同じウェブページの閲覧が繰り返された場合には、基礎物品選択部８３は、直前よりもさらに購入個数の少ない物品等を基礎物品等として選択する。
【００９４】
ユーザが最も多い個数購入した商品等を基礎物品等とすることで、ユーザにとって多量に購入した商品等が閲覧商品の価値判断の基準とされる。そのため、ユーザにとっては、閲覧商品の価値を身近に感じることが可能となる。
【００９５】
また、このように、価値判断の基準となる基礎物品等を変えることで、様々な尺度で閲覧した商品の価値を判断することが可能となる。また、基礎物品等を、購入のタイミングが古いものに変化させていくことにより、購入した際の自身の判断過程を時系列で追っていくことができ、閲覧した商品の価値判断が容易になる。
【００９６】
また、これまでに購入した商品の価格を基準として、基礎物品を選択することもできる。
【００９７】
図６は、これまでに購入した商品の価格を基準として基礎物品を選択する場合の、ウェブページの提供の処理の例を説明するフローチャートである。ステップＳ４１乃至ステップＳ４３の手続きは、それぞれ、図４のステップＳ１１乃至ステップＳ１３のそれぞれの手続きと同様なので、その説明は省略する。
【００９８】
ステップＳ４４において、平均購入価格計算部８２は、ステップＳ４３の手続きで読み出した、これまでに購入した商品の価格から、ユーザがこれまでに購入した商品の価格の平均値である平均購入価格を計算する。ステップＳ４５において、判定部８１は、リクエストされたウェブページの商品の価格が平均購入価格より高いか否かを判定する。
【００９９】
ステップＳ４５において、リクエストされたウェブページの商品の価格が平均購入価格より高いと判定された場合、手続きはステップＳ４６に進み、基礎物品選択部８３は、ユーザがこれまでに購入した商品のうち、まだ基礎物品として選択されていない商品であって、ウェブページの商品の価格より価格の高い商品の中から、最も価格の低い商品を基礎物品として選択し、手続きはステップＳ４８に進む。
【０１００】
一方、ステップＳ４５において、リクエストされたウェブページの商品の価格が平均購入価格より高くない、すなわち平均購入価格と同じ又はそれより低いと判定された場合、手続きはステップＳ４７に進み、基礎物品選択部８３は、ユーザがこれまでに購入した商品のうち、まだ基礎物品として選択されていない商品であって、ウェブページの商品の価格より価格の低い商品の中から、最も価格の高い商品を基礎物品として選択し、手続きはステップＳ４８に進む。
【０１０１】
ステップＳ４８乃至ステップＳ５３の手続きは、それぞれ、図４のステップＳ１５乃至ステップＳ２０の手続きのそれぞれと同様なので、その説明は省略する。
【０１０２】
なお、ステップＳ４６またはステップＳ４７の手続きで、基礎物品が選択できなかった場合には、ステップＳ４８乃至ステップＳ５２の手続きはスキップされる。
【０１０３】
このようにすることで、リクエストされたウェブページの商品の価格が平均購入価格より高い場合には、ウェブページの商品の価格より高い価格であって、これに近い価格の商品が基礎物品として選択され、リクエストされたウェブページの商品の価格が平均購入価格より高くない場合には、ウェブページの商品の価格より低い価格であって、これに近い価格の商品が基礎物品として選択されるので、リクエストされたウェブページの商品の価格がより身近に感じられることになる。
【０１０４】
すなわち、平均購入価格を、ユーザが普段購入している商品等の価格と考えることができる。このように考えた場合、リクエストされたウェブページの商品の価格が平均購入価格より高いということは、ユーザが普段購入している物より高価なものを閲覧していると考えることができる。このような場合に、ユーザが既に購入したことのある、その閲覧商品より高価な商品を基準にすることで、現在閲覧しているウェブページの商品を身近に感じることが可能になる。閲覧商品より高価な商品の中でも、特に、閲覧商品に価格が近い商品を基準することで、閲覧商品の価値をユーザがより一層理解しやすくなる。
【０１０５】
あるいは、リクエストされたウェブページの商品の価格が平均購入価格より安いということは、ユーザが普段購入している物より安価なものを閲覧していると考えることができる。このような場合に、ユーザが既に購入したことのある、その閲覧商品より安価な商品を基準にすることで、現在閲覧しているウェブページの商品をより一層身近に感じることが可能になる。閲覧商品より安価な商品の中でも、特に、閲覧商品に価格が近い商品を基準することで、閲覧商品の価値をユーザがより一層理解しやすくなる。
【０１０６】
また、基礎物品選択部８３は、これまでに購入した商品の価格を基準として基礎物品を選択した場合に、同じウェブページの閲覧が繰り返された場合、販売商品等の価格（上記実施形態では、テレビジョン受像器の価格）が平均購入価格より高いと判定されたとき、販売商品等の価格より高い価格の購入済み商品等の中から、基礎物品等として前回選択された商品またはサービス（上記実施形態ではバッグ）の次に低い価格の商品またはサービスを基礎物品等として新たに選択し、販売商品等の価格が平均購入価格より高くないと判定されたとき、販売商品等の価格（上記実施形態では、テレビジョン受像器の価格）より低い価格の購入済み商品等の中から、基礎物品等として前回選択された商品またはサービス（上記実施形態ではバッグ）の次に高い価格の商品またはサービスを基礎物品等として新たに選択してもよい。
【０１０７】
この場合、同じウェブページを閲覧するたびに、基準商品が価格の高い、あるいは低いものに変化するため、様々な尺度で価値判断を提示することができる。
【０１０８】
図７は、これまでに購入した商品の価格を基準として基礎物品を選択する場合の、ウェブページの提供の処理の他の例を説明するフローチャートである。ステップＳ７１乃至ステップＳ７３の手続きは、それぞれ、図４のステップＳ１１乃至ステップＳ１３の手続きのそれぞれと同様なので、その説明は省略する。
【０１０９】
ステップＳ７４において、平均購入価格計算部８２は、ステップＳ７３の手続きで読み出した、これまでに購入した商品の価格から、ユーザがこれまでに購入した商品の価格の平均値である平均購入価格を計算する。ステップＳ７５において、判定部８１は、リクエストされたウェブページの商品の価格が平均購入価格より高いか否かを判定する。
【０１１０】
ステップＳ７５において、リクエストされたウェブページの商品の価格が平均購入価格より高いと判定された場合、手続きはステップＳ７６に進み、基礎物品選択部８３は、ユーザがこれまでに購入した商品のうち、まだ基礎物品として選択されていない商品であって、ウェブページの商品の価格より価格の高い商品の中から、最も価格の高い商品を基礎物品として選択し、手続きはステップＳ７８に進む。
【０１１１】
一方、ステップＳ７５において、リクエストされたウェブページの商品の価格が平均購入価格より高くない、すなわち平均購入価格と同じ又はそれより低いと判定された場合、手続きはステップＳ７７に進み、基礎物品選択部８３は、ユーザがこれまでに購入した商品のうち、まだ基礎物品として選択されていない商品であって、ウェブページの商品の価格より価格の低い商品の中から、最も価格の低い商品を基礎物品として選択し、手続きはステップＳ７８に進む。
【０１１２】
ステップＳ７８乃至ステップＳ８３の処理は、それぞれ、図４のステップＳ１５乃至ステップＳ２０のそれぞれと同様なので、その説明は省略する。
【０１１３】
なお、ステップＳ７６またはステップＳ７７の手続きで、基礎物品が選択できなかった場合には、ステップＳ７８乃至ステップＳ８２の手続きはスキップされる。
【０１１４】
このようにすることで、リクエストされたウェブページの商品の価格が平均購入価格より高い場合には、ユーザの購買意欲が高まっていると考えられるので、過去に、ユーザの購買意欲が高まっているときに購入したと予測される、ウェブページの商品の価格より高い価格であって、最も高い価格の商品が基礎物品として選択され、ユーザに閲覧する商品の価値を実感させやすくすることができる。逆に、リクエストされたウェブページの商品の価格が平均購入価格より高くない場合には、ユーザの購買意欲が減退していると考えられるので、過去に、ユーザの購買意欲が減退していても必要で購入したと予測される、ウェブページの商品の価格より低い価格であって、最も低い価格の商品が基礎物品として選択され、ユーザに閲覧する商品の価値を実感させやすくすることができる。
【０１１５】
また、基礎物品選択部８３は、これまでに購入した商品の価格を基準として基礎物品を選択した場合に、同じウェブページの閲覧が繰り返された場合、販売商品等の価格（上記実施形態ではテレビジョン受像器の価格）が平均購入価格より高いと判定されたとき、販売商品等の価格より高い価格の購入済み商品等の中から、基礎物品等として前回選択された商品またはサービス（上記実施形態ではバッグ）の次に高い価格の商品またはサービスを基礎物品等として新たに選択し、販売商品等の価格が平均購入価格より高くないと判定されたとき、販売商品等の価格より低い価格の購入済み商品等の中から、基礎物品等として前回選択された商品またはサービスの次に低い価格の商品またはサービスを基礎物品等として新たに選択してもよい。
【０１１６】
この場合、同じウェブページを閲覧するたびに、基準商品が価格の低い、あるいは高いものに変化するため、様々な尺度で価値判断を提示することができる。
【０１１７】
以上のように、ユーザのそのときの購買意欲にマッチした基礎物品を選択することで、ユーザに閲覧する商品の価値をより実感させやすくすることができる。
【０１１８】
上記実施形態の処理を、ユーザ端末装置１３において実現してもよい。すなわち、ユーザ端末装置１３が、所定の商品を販売するかまたは所定のサービスを提供するための所定のウェブページの閲覧を所定のユーザによって要求された場合、要求されたウェブページのデータがユーザ端末装置（情報提供装置）１３から提供される情報表示装置であってもよい。この場合、ユーザ端末装置１３は、ユーザがこれまでに購入した商品またはサービスである購入済み商品等の中のいずれかを基礎物品等として選択する選択手段（サーバ１１の基礎物品選択部８３の機能に相当）と、閲覧が要求されたウェブページで販売される商品または提供されるサービスである販売商品等の価格を、基礎物品等の購入価格で割り算することで、販売商品等の価格を基礎物品等の相当する数で表す基礎物品相当数を算出する相当数算出手段（サーバ１１の基礎物品相当数計算部８４の機能に相当）と、販売商品等の価格が基礎物品相当数の基礎物品等に相当することを表示させる表示データを、このウェブページ上に表示させる表示制御手段（サーバ１１の表示データ生成部８５の機能に相当）と、を備える。この場合、基礎物品等の購入価格とは、基礎物品等の購入時の単価であってもよい。このようにユーザ端末装置１３において上記実施形態の処理を実現する場合、クッキー及びウェブページに埋め込まれたスクリプト等が利用される。
【０１１９】
なお、上述したように、商品の価格が、商品である基礎物品の相当する数で表すと説明したが、これに限らず、商品またはサービスの価格を、他の商品または他のサービスの相当する数で表すようにしてもよい。この場合、商品やサービスの価格を、相当する数で表す基準となる物品またはサービスを基礎物品等と称する。また、ユーザがこれまでに購入した商品またはサービスを購入済み商品等と称する。さらに、ウェブページで販売される商品または提供されるサービスを販売商品等と称する。
【０１２０】
このように、基礎物品の価格で商品の価格を割り算するようにした場合には、閲覧した商品の価格の計算単位を変化させて表示することができる。また、ユーザがこれまでに購入した商品またはサービスである購入済み商品等の中のいずれかを基礎物品等として選択し、閲覧が要求されたウェブページで販売される商品または提供されるサービスである販売商品等の価格を、基礎物品等の購入価格で割り算することで、販売商品等の価格を基礎物品等の相当する数で表す基礎物品相当数を算出し、販売商品等の価格が基礎物品相当数の基礎物品等に相当することを表示させる表示データが含まれるウェブページのデータを端末装置に送信するようにした場合には、閲覧する商品またはサービスの価格の計算単位を購入した商品またはサービスを基準に表示させることにより、ユーザに閲覧する商品またはサービスの価値を実感させやすくすることができる。
【０１２１】
上述した一連の処理は、ハードウェアにより実行することもできるし、ソフトウエアにより実行することもできる。一連の処理をソフトウエアにより実行する場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０１２２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１２３】
また、本発明の実施の形態は、上述した実施の形態に限定されるものではなく、本発明の要旨を逸脱しない範囲において種々の変更が可能である。
【符号の説明】
【０１２４】
１１  サーバ，  １２  インターネット，  ３１  CPU，  ３２  ROM，  ３３  RAM，  ３８  記憶部，  ３９  通信部，  ４１  リムーバブルメディア，  ６１  Webサーバ機能，  ６２  ページデータ生成部，  ６３  認証部，  ６４  相当数表示制御部，  ６５  ユーザデータベース，  ６６  商品データベース，  ６７  閲覧履歴データベース，  ６８  購入履歴データベース，  ８１  判定部，  ８２  平均購入価格計算部，  ８３  基礎物品選択部，  ８４  基礎物品相当数計算部，  ８５  表示データ生成部，  ８６  選択履歴記録部
【図１】
0005452215.tif 000002
【図２】
0005452215.tif 000003
【図３】
0005452215.tif 000004
【図４】
0005452215.tif 000005
【図５】
0005452215.tif 000006
【図６】
0005452215.tif 000007
【図７】
0005452215.tif 000008